(57)【要約】【課題】展示した状態においてリボン付つま先カバーの使用方法、装着状態が一目で分かるパッケージを提供すること。【解決手段】リボン付つま先カバーのパッケージ１０は表面部２０と収納部３０からなり、パッケージ１０の表面である表面部２０には、ハイヒールを履いた状態の足の側面の写真又は絵が印刷され、複数の切込み４０が設けられている。収納部３０には複数のリボン付つま先カバーＴが収納される。これらの切込み４０にリボン付つま先カバーＴのリボンＲを通すと、表面部２０に印刷された足に装着される状態を表示してリボン付つま先カバーＴがパッケージ１０に装着される。表面部２０は、足の側面の実物大の大きさ且つ形状であるので、展示状態において、リボン付つま先カバーＴの使用方法、装着状態が一目瞭然に表示される。【選択図】        図１
2005029208.tif 000002
【特許請求の範囲】
【請求項１】
つま先に装着するつま先カバーに一対のリボンを取付けてなるリボン付つま先カバーのパッケージであって、
ハイヒールを履いた足の側面が表面部に印刷され、
前記リボンを足首に巻付けて結んだ状態が表示できるように、前記表面部に切込みが設けられていることを特徴とする、
リボン付つま先カバーのパッケージ。
【請求項２】
前記切込みが、前記つま先カバーに取付けられたリボンが前記ハイヒールから出る位置と、前記足首に沿った位置に設けられている、請求項１のリボン付つま先カバーのパッケージ。
【請求項３】
前記切込みが全部で５個である、請求項１又は２のリボン付つま先カバーのパッケージ。
【発明の詳細な説明】
【０００１】
【発明の属する技術分野】
本発明は、つま先から足首にかけて装着するリボン付つま先カバーを展示・販売するためのパッケージの技術分野に属する。
【０００２】
【従来の技術】
つま先用カバーは、足のトウ、すなわち、つま先に装着するカバーであり、主に、女性がヒールのある靴を履く場合に装着するもので、平成１１年６月９日に公報が発行された、意匠登録第１０４０８０１号として登録されている。リボン付つま先カバーは、このつま先カバーに、足首に巻付けて結ぶためのリボンを具えたものである。
図３は、リボン付つま先カバーＴを示し、図３（ａ）は平面図、図３（ｂ）はリボン付つま先カバーＴを装着した状態を示す斜視図である。
リボン付つま先用カバーＴは、つま先に装着するカバーＣと足首に巻付けて結ぶためのリボンＲからなる。カバーＣは、足の甲側は薄手の素材からなり、土踏まず側にクッションＣＵが設けられている。
【０００３】
図３（ｂ）に示すように、このリボン付つま先カバーＴを装着すると、つま先から土踏まずの間に設けられたクッションＣＵによって、足の疲れが和らげられるという効果がある。
また、このリボン付つま先カバーＴはリボンＲを足首に巻付けて結んで装着するが、これによりリボン付つま先カバーＴが足に安定的に装着されるばかりでなく、ファッション性の高いものになる。
なお、このリボン付つま先カバーＴの甲側は薄手の素材からなるので、実際に装着した状態ではつま先が透けて見えるのが普通である。
【０００４】
リボン付つま先カバーＴは足の一部に装着するものであるから、比較的小さく、右足用と左足用で一足になり、従来は、図４の斜視図に示すように、厚紙等で形成した平袋状のパッケージ１００に入れて、一足又は二足単位で販売されていた。
【０００５】
【発明が解決しようとする課題】
殆どの場合、パッケージ表面部には商品名だけでなく、リボン付つま先カバーＴの装着状態の写真や絵、使用方法の説明等が印刷されているが、靴下やストッキング等に比べると、リボン付つま先カバーは、需要者には余り良く知られていない。
従って、従来のパッケージ１００では、展示されている状態においては、商品であるリボン付つま先カバーＴの使用方法や、実際の大きさ等が分かりにくいという問題がある。
また、従来のパッケージ１００では、このリボン付つま先カバーＴを実際に装着したときのリボンの色等を知ることができない。
【０００６】
【課題を解決するための手段】
本発明は、つま先に装着するつま先カバーに一対のリボンを取付けてなるリボン付つま先カバーのパッケージであって、
ハイヒールを履いた足の側面が表面部に印刷され、
前記リボンを足首に巻付けて結んだ状態が表示できるように、前記表面部に切込みが設けられていることを特徴とするリボン付つま先カバーのパッケージによって、前記の課題を解決した。
【０００７】
【作用】
本発明によれば、商品であるリボン付つま先カバーの使用状態が表面部で目視できるので、購入者には、商品の使用方法と実際の装着状態がパッケージを通じて一目で分かる。
【０００８】
【発明の実施の形態】
図１に、リボン付つま先カバーを装着させた状態の本発明のリボン付つま先カバーのパッケージ１０を示す。図１（ａ）は正面図、図１（ｂ）は蓋部を開けた状態の背面図である。なお、リボンの設置状態を表すために、便宜上、図１（ｂ）は内部を透視した状態で描かれている。
このパッケージ１０は厚紙等で一体的に形成され、１つのリボン付つま先カバーＴを装着した状態を表示することができる表面部２０、リボン付つま先カバーＴの残りの部分を収納する収納部３０を有する。
表面部２０はパッケージ１０の表面であり、この表面部２０には、ハイヒールを履いた状態の足の側面の写真又は絵が印刷される。また、表面部２０には複数（具体的には５個）の切込み４０（４０Ａ〜４０Ｅ）が設けられており、これらの切込み４０にリボン付つま先カバーＴのリボンＲを通すと、表面部２０に印刷された足に装着される状態を表示してリボン付つま先カバーＴがパッケージ１０に装着される。
【０００９】
図２は、リボン付つま先カバーを装着しない状態の本発明のリボン付つま先カバーのパッケージ１０の正面図である。図２に基づいて、リボン付つま先カバーのパッケージの使用方法について説明する。
まず、最初に、リボン付つま先カバーをパッケージの収納部に収納する。そして、リボン付つま先カバーのリボンの一端を右上の切込み４０Ｅから出して、足首の蝶結びを結ぶ一端とする。また、リボン付つま先カバーのリボンのもう一端は、一番下の切込み４０Ａから出し、これを切込み４０Ｂに入れ、さらに切込み４０Ｃから出し、さらに切込み４０Ｅに入れ、最後に切込み４０Ｄから出して足首の蝶結びを結ぶもう一端とする。最後に、これらリボン付つま先カバーＴのリボンの両端を蝶結びで結ぶ。以上のようにして、リボン付つま先カバーＴのパッケージ１０への装着が行われる。なお、リボンＲの標準的な長さは６０〜７０センチメートルである。
【００１０】
上記のように、表面部２０に片方のリボン付つま先カバーＴ（図１（ａ）では左足用のリボン）を装着した後、他方のリボン付つま先カバーＴ（図１（ａ）の場合は右足用のもの）を収納部３０に収納し（図１（ｂ）参照。）、蓋部３２を折曲げて舌片３２２を切込３２４に差込む。
【００１１】
このようにして、リボン付つま先カバーＴが収納されたパッケージ１０は、表面部２０の表面部にはハイヒールを履いた状態の足の側面の写真又は絵が印刷され、標準的な女性の足の大きさに合わせた形状であるので、展示時において装着状態の色や大きさを、実際の装着状態に近い状態で確認することができる。
【００１２】
収納部３０は平袋状に形成され、複数のリボン付つま先カバーＴを収納することができるから、一度に一足以上のリボン付つま先カバーＴをまとめて展示・販売することができる。
標準的には、表面部２０に装着した１つのリボン付つま先カバーＴと対（一足）になるもう一方のリボン付つま先カバーと、もう一足のリボン付つま先カバー合計３個を加えたものが収納部３０に収納される。
なお、吊下孔がないパッケージを例示してきたがこれに限るものでなく、パッケージ１０に吊下孔を設け、吊下げて展示するようにしてもよい。
【００１３】
【発明の効果】
以上説明したように、本発明のリボン付つま先カバーのパッケージによれば、今までリボン付つま先カバーを見たことがない人でも、商品の展示状態において、使用方法、装着状態が一目で分かるという効果を奏する。
また、表面部にはハイヒールを履いた状態の足の側面の写真又は絵が印刷されているので、実際に足に装着した状態がどのように見えるかを、パッケージを通じて確認することができる。
【図面の簡単な説明】
【図１】リボン付つま先カバーを装着させた状態の本発明のリボン付つま先カバーのパッケージを示し、（ａ）は正面図、（ｂ）は蓋体を開けた状態の背面図。
【図２】リボン付つま先カバーを装着させない状態の本発明のリボン付つま先カバーのパッケージの正面図。
【図３】リボン付つま先カバーを示し、（ａ）は平面図、（ｂ）はリボン付つま先カバーを実際に装着した状態の斜視図。
【図４】従来のリボン付つま先カバーのパッケージの斜視図。
【符号の説明】
１０：リボン付つま先カバーのパッケージ
２０：表面部
３０：収納部
３２：蓋部
４０Ａ〜４０Ｅ：切込み
Ｔ：リボン付つま先カバー
Ｃ：カバー
Ｒ：リボン
【図１】
2005029208.tif 000003
【図２】
2005029208.tif 000004
【図３】
2005029208.tif 000005
【図４】
2005029208.tif 000006